(57)【要約】【課題】流し台のコーナーに貼着して自立し、取り付けと取り外しと廃棄が簡単かつ容易な水切り袋を提供する。【解決手段】ポリオレフィン不織布、網又はパンチングされたフィルムからなる透水性シート製の水切り袋において、袋体の背面の透水性シートに袋体の上縁より上方に舌片部が延設され、該舌片部の裏面の上部に上縁と平行にポリオレフィンテープが融着され、該ポリオレフィンテープに帯状の粘着剤層が積層され、該粘着剤層を介してポリオレフィンテープが舌片部の裏面の下部又は袋体の背面の上部に固定されてなることを特徴とする水切り袋。【選択図】図１
2005314031.tif 000002
【特許請求の範囲】
【請求項１】
ポリオレフィン不織布、網又はパンチングされたフィルムからなる透水性シート製の水切り袋において、袋体の背面の透水性シートに袋体の上縁より上方に舌片部が延設され、該舌片部の裏面の上部に上縁と平行にポリオレフィンテープが融着され、該ポリオレフィンテープに帯状の粘着剤層が積層され、該粘着剤層を介してポリオレフィンテープが舌片部の裏面の下部又は袋体の背面の上部に固定されてなることを特徴とする水切り袋。
【請求項２】
粘着剤層を複数条有する請求項１記載の水切り袋。
【請求項３】
舌片部に上縁に対して縦方向の１又は２以上の切れ目を有する請求項１又は請求項２記載の水切り袋。
【請求項４】
透水性シートがポリエチレン不織布であり、ポリオレフィンテープがポリエチレン系テープである請求項１ないし請求項３のいずれか１項に記載の水切り袋。
【請求項５】
ポリエチレン系テープがポリエチレン−ポリプロピレン積層テープであり、該積層テープがポリエチレン面において舌片部の裏面に融着され、ポリプロピレン面に粘着剤層を有する請求項４記載の水切り袋。
【請求項６】
底部にガゼット折りを有する請求項１ないし請求項５のいずれか１項に記載の水切り袋。
【発明の詳細な説明】
【技術分野】
【０００１】
本発明は、水切り袋に関する。さらに詳しくは、本発明は、流し台のコーナーに貼着して自立し、取り付けと取り外しと廃棄が簡単かつ容易な水切り袋に関する。
【背景技術】
【０００２】
台所で発生する厨芥の処理方法として、流し台のコーナーや排水口に透水性の水切り袋を配置し、発生する厨芥を水切り袋に投入して水分を流出させ、袋が一杯になったとき、袋の口を閉じて家庭生ゴミとして処分することが行われている。流し台のコーナーに配置される水切り袋は、プラスチック製又は金属製の水切りかご内に収められる場合が多い。
厨芥を収納する水切り袋は使い捨てにされるが、水切り袋の支持体となる水切りかごは、長期間にわたって使用される。水切りかごは、時間の経過とともに汚れ、表面にぬめりが発生する。水切りかごに発生するぬめりは、微生物の増殖によるものが多く、外観が汚らしくなるばかりでなく、食品衛生上からも好ましくない。したがって、水切りかごの掃除を頻繁に行う必要があるが、水切りかごには多数の細かい穴が開けられているので、その表面をくまなく清掃することは容易ではない。このために、台所で発生する厨芥を、簡単、容易かつ衛生的に処理することができる水切り袋が求められていた。
【発明の開示】
【発明が解決しようとする課題】
【０００３】
本発明は、流し台のコーナーに貼着して自立し、取り付けと取り外しと廃棄が簡単かつ容易な水切り袋を提供することを目的としてなされたものである。
【課題を解決するための手段】
【０００４】
本発明者らは、上記の課題を解決すべく鋭意研究を重ねた結果、水切り袋の上部に舌片部を設け、該舌片部に粘着剤層を積層し、該粘着剤層によって水切り袋を流し台のコーナーに貼着することにより、水切りかごを使用することなく水切り袋に自立性を与え、台所で発生する厨芥を簡単、容易かつ衛生的に処理し得ることを見いだし、この知見に基づいて本発明を完成するに至った。
すなわち、本発明は、
（１）ポリオレフィン不織布、網又はパンチングされたフィルムからなる透水性シート製の水切り袋において、袋体の背面の透水性シートに袋体の上縁より上方に舌片部が延設され、該舌片部の裏面の上部に上縁と平行にポリオレフィンテープが融着され、該ポリオレフィンテープに帯状の粘着剤層が積層され、該粘着剤層を介してポリオレフィンテープが舌片部の裏面の下部又は袋体の背面の上部に固定されてなることを特徴とする水切り袋、
（２）粘着剤層を複数条有する(１)記載の水切り袋、
（３）舌片部に上縁に対して縦方向の１又は２以上の切れ目を有する(１)又は(２)記載の水切り袋、
（４）透水性シートがポリエチレン不織布であり、ポリオレフィンテープがポリエチレン系テープである(１)ないし(３)のいずれか１項に記載の水切り袋、
（５）ポリエチレン系テープがポリエチレン−ポリプロピレン積層テープであり、該積層テープがポリエチレン面において舌片部の裏面に融着され、ポリプロピレン面に粘着剤層を有する(４)記載の水切り袋、及び、
（６）底部にガゼット折りを有する(１)ないし(５)のいずれか１項に記載の水切り袋、
を提供するものである。
【発明の効果】
【０００５】
本発明の水切り袋は、流し台のコーナーにおいて自立性を有し、水切りかごを使用する必要がないので、手間をかけることなく、厨芥を簡単、容易かつ衛生的に処理することができる。
【発明を実施するための最良の形態】
【０００６】
本発明の水切り袋は、ポリオレフィン不織布、網又はパンチングされたフィルムからなる透水性シート製の水切り袋において、袋体の裏側の透水性シートに袋体の上縁より上方に舌片部が延設され、該舌片部の裏面の上部に上縁と平行にポリオレフィンテープが融着され、該ポリオレフィンテープに帯状の粘着剤層が積層され、該粘着剤層を介してポリオレフィンテープが舌片部の裏面の下部又は袋体の上部に固定されてなる水切り袋である。
図１は、本発明の水切り袋の一態様の背面図及びＡ−Ａ線断面図である。本態様の水切り袋は、正面１及び背面２のポリオレフィンの透水性シートからなり、両側縁にサイドシール３が施された袋体である。サイドシール３は、幅のある熱圧着又は熱溶着を施したのち、熱溶断又は切断されてなることが好ましい。袋体の背面の透水性シートに、袋体の上縁４より上方に舌片部５が延設され、舌片部の裏面の上部に上縁と平行にポリオレフィンテープ６が融着され、該ポリオレフィンテープに粘着剤層７が積層されている。ポリオレフィンテープが融着され、粘着剤層が積層された舌片部の上部が折り返されて、粘着剤層を介してポリオレフィンテープが舌片部の裏面の下部に固定されている。本態様の水切り袋は、底部にガゼット部８を有する。また、正面の上縁に折り返し９を有する。底部にガゼット部を設けることにより、袋体を開いたときに大きい収納部を形成することができる。正面の上縁に折り返しを設けることにより、開口部の形状をしっかりさせ、厨芥の投入を容易にすることができる。本発明の水切り袋は、正面の上縁の折り返し９を有しない態様とすることもできる。
【０００７】
図２は、図１に示す水切り袋の使用状態を示す断面図である。折り返されている舌片部の上部を舌片部の下部から引き離すと、粘着剤層が舌片部の下部から離れて露出する。露出した粘着剤層７を流し台の壁面１０に押し付けることにより、水切り袋の舌片部５を流し台の壁面に貼着することができる。水切り袋の舌片部を流し台の壁面に貼着し、ガゼット部８を開くと、袋体の正面１と背面２の間に厨芥を収納するための広い収納部１１が形成される。
本発明の水切り袋は、接着剤層とポリオレフィンテープが積層された舌片部の上部を折り返して、舌片部の裏面の下部又は袋体の背面の上部に固定するので、粘着剤層を被覆する離型紙を必要としない。そのために、本発明の水切り袋は、経済的に製造することができ、環境にやさしく、資源の浪費を防ぐことができる。
図３は、図１に示す水切り袋を廃棄する状態を示す断面図である。水切り袋の収納部が厨芥１２で満たされたとき、粘着剤層を流し台の壁面から引き離し、粘着剤層７が袋体の正面１と接するように舌片部５を折り曲げ、粘着剤層を介して舌片部を袋体の正面の上部に固定することにより、袋体を閉じることができる。本発明の水切り袋は、粘着剤層を利用して袋体を閉じることができるので、水切り袋を閉じるための紐などを必要とせず、構造が簡略化され、水切り袋を閉じるための手間もかからない。袋体を閉じたのち、板などを用いて袋体を圧搾し、手を汚すことなく水分を絞りきることができる。
【０００８】
本発明に用いるポリオレフィン不織布、網又はパンチングされたフィルムの材質としては、例えば、ポリエチレン、ポリプロピレン、ポリブテン、ポリイソブチレン、ポリスチレンなどを挙げることができる。本発明に用いる不織布の構造に特に制限はなく、例えば、スパンボンド不織布、メルトブロー不織布、割繊維不織布などを挙げることができる。これらの中で、延伸強化された多層ポリオレフィンの割繊維を、縦横に連続的に積層し、熱融着したメッシュ構造を有する割繊維不織布は、軽量で強度が高く、透水性に優れるので好適に用いることができる。ポリオレフィン製の割繊維不織布が、新日石プラスト(株)より日石ワリフ（登録商標）として販売されている。本発明に用いる網の構造に特に制限はなく、例えば、本目網、蛙股網、無結節網、ラッセル網などを挙げることができる。本発明に用いるパンチングされたフィルムとしては、例えば、多数の細孔を有するポリエチレフィンフィルムなどを挙げることができる。
図４は、本発明の水切り袋を製造する方法の一態様の説明図である。長尺のポリオレフィンの透水性シートをガゼッターを用いて加工し、舌片部５、ガゼット部８及び正面の上縁の折り返し９を形成する。次に、舌片部にポリオレフィンテープ６を融着する。ポリオレフィンの透水性シートとポリオレフィンテープは、同種のポリオレフィンであることが好ましい。同種のポリオレフィンの透水性シートとポリオレフィンテープを用いることにより、容易に十分な強度をもって融着することができる。ポリオレフィンテープの上にさらに粘着剤層７を積層したのち、ポリオレフィンテープが融着され、粘着剤層が積層された舌片部の上部を折り返して、粘着剤層を介してポリオレフィンテープを舌片部の裏面の下部に固定する。ポリオレフィンテープが融着され、粘着剤層が積層された舌片部の上部を折り返して、ポリオレフィンテープを袋体の背面の上部に固定することもできる。次いで、袋体の幅ごとにサイドシールに相当する位置に幅のある熱圧着又は熱溶着を施し、袋体の幅ごとに熱溶断又は切断することにより、水切り袋を完成する。
【０００９】
本発明の水切り袋は、粘着剤層を複数条設けることができる。図５は、本発明の水切り袋の他の態様の断面図である。本態様の水切り袋は、袋体の背面の透水性シートに、袋体の上縁４より上方に舌片部５が延設され、舌片部の裏面の上部に上縁と平行にポリオレフィンテープ６が融着され、該ポリオレフィンテープに２条の粘着剤層７及び７'が積層されている。ポリオレフィンテープが融着され、粘着剤層が積層された舌片部の上部が折り返されて、粘着剤層を介してポリオレフィンテープが舌片部の裏面の下部及び袋体の背面の上部に固定されている。本態様の水切り袋は、底部にガゼット部８を有する。また、正面の上縁に折り返し９を有する。折り返されている舌片部の上部を舌片部の下部及び袋体の背面から引き離すと、粘着剤層が露出する。露出した粘着剤層７を流し台の壁面１０に押し付け、粘着剤層７'を流し台の上面１３に押し付けることにより、水切り袋の舌片部５を流し台の壁面から上面にかけて貼着することができる。水切り袋の舌片部５を流し台の壁面から上面にかけて貼着することにより、水切り袋を支える接着強度が向上し、重量の大きい厨芥を投入しても水切り袋が落下するおそれがなくなる。
本発明の水切り袋は、舌片部に上縁に対して縦方向の１又は２以上の切れ目を入れることができる。水切り袋は、流し台のコーナーに配置される場合が多い。水切り袋が流し台のコーナーに配置されたとき、図５に示す接着剤層７'は、互いに垂直な２方向に貼着されるので、粘着剤層を舌片部とともに上縁と垂直に切断しておくことにより、粘着剤層７'を無理なく互いに垂直な方向に貼着することができる。
【００１０】
本発明においては、透水性シートがポリエチレン不織布であり、ポリオレフィンテープがポリエチレン系テープであることが好ましい。ポリエチレン不織布は水切り性が良好であり、ポリエチレンどうしは容易に熱融着することができるので、ポリエチレン不織布とポリエチレン系テープを用いることにより、優れた性能を有する水切り袋を効率的に製造することができる。
本発明においては、ポリエチレン系テープとしてポリエチレン−ポリプロピレン積層テープを用い、該積層テープがポリエチレン面において舌片部の裏面に融着され、ポリプロピレン面に粘着剤層を有することが好ましい。図６は、本発明の水切り袋を製造する方法の他の態様の説明図である。長尺のポリエチレン不織布をガゼッターを用いて加工し、舌片部５、ガゼット部８及び正面の上縁の折り返し９を形成する。次に、舌片部にポリエチレン−ポリプロピレン積層テープ１４と粘着剤層７の積層体を挟み込んで、舌片部を折り返す。図６に示すように、積層テープのポリエチレン面１５がポリエチレン不織布と接し、積層テープのポリプロピレン面１６に粘着剤層７が積層されている。この状態で舌片部を熱融着すると、積層テープのポリエチレン面がポリエチレン不織布に融着され、粘着剤層を介して積層フィルムが舌片部の下部に固定される。しかし、積層フィルムのポリプロピレン面とポリエチレン不織布の融着は生じない。袋体の幅ごとにサイドシールに相当する位置を融着し、袋体の幅ごとに切断することにより水切り袋を完成することができ、あるいは、袋体の幅ごとに溶断することもできる。舌片部にはポリエチレン−ポリプロピレン積層テープが積層され、ポリエチレン不織布とポリプロピレン面の間には融着が起こらないので、袋体の幅ごとに溶断しても舌片部が両側縁において融着することはない。水切り袋の使用に際しては、折り返された舌片部を引き離し、粘着剤層７を露出させ、流し台の壁面に貼着する。
【産業上の利用可能性】
【００１１】
本発明の水切り袋は、粘着自立性があり、水切りかごなどの支持材料を必要としないので、支持材料のぬめりの発生がなく、簡単、容易かつ衛生的に使用することができる。
【図面の簡単な説明】
【００１２】
【図１】本発明の水切り袋の一態様の背面図及び断面図である。
【図２】水切り袋の使用状態を示す断面図である。
【図３】水切り袋を廃棄する状態を示す断面図である。
【図４】本発明の水切り袋を製造する方法の一態様の説明図である
【図５】本発明の水切り袋の他の態様の断面図である。
【図６】本発明の水切り袋を製造する方法の他の態様の説明図である。
【符号の説明】
【００１３】
１  正面
２  背面
３  サイドシール
４  上縁
５  舌片部
６  ポリオレフィンテープ
７  粘着剤層
７'  粘着剤層
８  ガゼット部
９  折り返し
１０  流し台の壁面
１１  収納部
１２  厨芥
１３  流し台の上面
１４  ポリエチレン−ポリプロピレン積層テープ
１５  ポリエチレン面
１６  ポリプロピレン面
【図１】
2005314031.tif 000003
【図２】
2005314031.tif 000004
【図３】
2005314031.tif 000005
【図４】
2005314031.tif 000006
【図５】
2005314031.tif 000007
【図６】
2005314031.tif 000008